(57)【要約】  飛沫感染抑制システム（１０）は、空間を複数の第１領域（Ａ１）に分離するための気流を発生可能な気流発生部（２６）と、複数の第１領域（Ａ１）のそれぞれについて人を検出する第１検出部（３１）と、空間における咳またはくしゃみを検出する第２検出部（２４）と、第２検出部（２４）が咳またはくしゃみを検出した場合に、第１検出部（３１）によって検出された人がいる第１領域（Ａ１）を含む１以上の第１領域（Ａ１）からなる第２領域（Ａ２）を他の領域から分離する気流を気流発生部（２６）に発生させる制御部（２５）とを備える。
2020003867.tif 000002
【特許請求の範囲】
【請求項１】
空間を複数の第１領域に分離するための気流を発生する気流発生部と、
前記複数の第１領域のそれぞれについて人を検出する第１検出部と、
前記空間における咳またはくしゃみを検出する第２検出部と、
前記第２検出部が前記咳またはくしゃみを検出した場合に、前記第１検出部によって検出された人がいる第１領域を含む１以上の第１領域からなる第２領域を他の領域から分離する気流を前記気流発生部に発生させる制御部とを備える
飛沫感染抑制システム。
【請求項２】
前記制御部は、前記第１検出部が前記複数の第１領域のうち２以上の第１領域において人を検出した場合、前記２以上の第１領域を互いに分離する気流を前記気流発生部に発生させる
請求項１に記載の飛沫感染抑制システム。
【請求項３】
前記第２検出部は、前記第１検出部が前記複数の第１領域のうち２以上の第１領域において人を検出した場合、前記２以上の第１領域のうちの前記咳またはくしゃみをした人がいる第１領域を検出し、
前記制御部は、前記第２検出部が検出した前記咳またはくしゃみをした人がいる前記第１領域からなる前記第２領域を前記他の領域から分離する気流を前記気流発生部に発生させる
請求項１に記載の飛沫感染抑制システム。
【請求項４】
机をさらに備え、
前記気流発生部は、前記机に設けられており、前記机から上方に向けて気流を発生する
請求項１〜３のいずれか１項に記載の飛沫感染抑制システム。
【請求項５】
前記気流発生部の形状は、前記机の平面視において、格子状である
請求項４に記載の飛沫感染抑制システム。
【請求項６】
前記第２検出部は、前記机に設けられる
請求項４又は５に記載の飛沫感染抑制システム。
【請求項７】
前記第２検出部は、マイクロフォン又はカメラを有する
請求項１〜６のいずれか１項に記載の飛沫感染抑制システム。
【請求項８】
椅子をさらに備え、
前記第１検出部は、前記椅子に設けられる
請求項１〜７のいずれか１項に記載の飛沫感染抑制システム。
【請求項９】
前記第１検出部は、赤外線センサ又は圧力センサを有する
請求項１〜８のいずれか１項に記載の飛沫感染抑制システム。
【請求項１０】
複数の第１領域のそれぞれについて人を検出するステップと、
咳またはくしゃみを検出するステップと、
前記咳またはくしゃみが検出された場合に、検出された人がいる第１領域を含む１以上の第１領域からなる第２領域を他の領域から分離する気流を気流発生部に発生させるステップとを含む
飛沫感染抑制方法。
【請求項１１】
気流発生部と、
複数の領域の各々に人がいるか否かを検出する第１検出部と、
前記複数の領域において咳またはくしゃみがなされたか否かを検出する第２検出部と、
制御部とを含み、
前記第１検出部は第１検出を行い、
前記第１検出の後に、前記第２検出部は第２検出を行い、
前記第２検出の後に、前記制御部は前記気流発生部に第１領域と第２領域を分離する気流を発生させ、
前記第１検出は、前記複数の領域に含まれる第３領域に第１人物がいて、前記複数の領域に含まれる第４領域に第２人物がいて、前記複数の領域から前記第１領域と前記第２領域を除いた領域に人物がいないことを検出することであり、
前記第２検出は、前記複数の領域において前記咳または前記くしゃみがなされたことを検出することであり、
前記第１領域は前記第３領域を含み、前記第２領域は前記第４領域を含み、
前記複数の領域は前記第１領域と前記第２領域であり、
前記第１領域と前記第２領域は共有する領域を有しない、
飛沫感染抑制システム。
【発明の詳細な説明】
【技術分野】
【０００１】
本開示は、感染症の感染を抑制する飛沫感染抑制システム、及び、飛沫感染抑制方法に関する。
【背景技術】
【０００２】
感染症には、接触感染、飛沫感染、または、空気感染などの種々の感染ルートがある。例えば、インフルエンザの場合には一般的に、飛沫感染、または、空気感染が主要な感染ルートであると考えられている。したがって、ある感受者の集団の中に、感染者が存在すると、感染者の咳またはくしゃみに曝露された感受性者は感染し、または、感染者の呼気に含まれるインフルエンザウイルス等を吸い込んだ感受性者は感染し、場合によっては集団感染が起きる場合もある。【０００３】
非特許文献１には、室内が換気されている場合に感染者が咳又はくしゃみをした場合にどのように飛沫が飛散していくかの数値シミュレーションによる結果が開示されている。この結果によれば、初速度１０ｍ／ｓで人が咳又はくしゃみをした場合には、５秒程度で１ｍ先の感受者に到達し、感受者は感染者の咳またはくしゃみに曝露される。したがって、飛沫感染を防ぐためには１０秒以内のごく短時間に感染者の飛沫から感受者を守る必要がある。【０００４】
そして、そのような飛沫感染から感受者を守る技術の例として、例えば、特許文献１には、医師が患者を診断する際に、飛沫感染を防止する技術が開示されている。特許文献１によれば、医師をクリーンブースで囲い、クリーンブースから気流を発生させる。そして、風上側に医師を、風下側に患者を配置することで、医師が患者の咳に曝露されることを防ぐことができる。【０００５】
また、特許文献２には、汚染空気の清浄化もしくはタバコの受動喫煙を防止する事を目的とした、空気清浄器付きの机が開示されている。特許文献２によれば、机の中央付近に吹き出し口と、吸い込み口、及び、除塵フィルタを設けており、吹き出し口から約１８０°の立体角で広範囲に気流を吹き出すことによって、部屋全体の気流が大きく循環し、効率よく汚染空気を清浄化できるとともに、煙を速やかに部屋全体に拡散させることで、受動喫煙を防止する事ができる。
【先行技術文献】
【特許文献】
【０００６】
【特許文献１】特開２０１０−１１７０４８号公報
【特許文献２】実開平３−１３８２７号公報
【非特許文献】
【０００７】
【非特許文献１】Ｋａｎｇ  Ｚ．，  Ｚｈａｎｇ  Ｙ．，  Ｆａｎ  Ｈ．，  Ｆｅｎｇ  Ｇ．，  Ｐｒｏｃ．  Ｅｎｇ．  （２０１５）  １１４−１２１
【発明の概要】
【０００８】
しかしながら、例えば、特許文献１の方法は、予め感染者がわかっていない場合には、適用することが難しい。
【０００９】
また、特許文献２では、飛沫感染を抑制する技術については開示されていない。
【００１０】
そこで、本開示は、以上のような事情を鑑みたものであり、感染者の咳又はくしゃみにより飛沫感染することを適切に抑制することができる技術を提供するものである。
【００１１】
本開示の一態様に係る飛沫感染抑制システムは、空間を複数の第１領域に分離するための気流を発生する気流発生部と、前記複数の第１領域のそれぞれについて人を検出する第１検出部と、前記空間における咳またはくしゃみを検出する第２検出部と、前記第２検出部が前記咳またはくしゃみを検出した場合に、前記第１検出部によって検出された人がいる第１領域を含む１以上の第１領域からなる第２領域を他の領域から分離する気流を前記気流発生部に発生させる制御部とを備える。
【００１２】
尚、この包括的又は具体的な態様は、装置、方法、集積回路、コンピュータプログラム又はコンピュータ読み取り可能な記録媒体で実現されてもよく、装置、システム、方法、集積回路、コンピュータプログラム及びコンピュータ読み取り可能な記録媒体の任意な組み合わせで実現されてもよい。コンピュータ読み取り可能な記録媒体は、例えばＣＤ−ＲＯＭ（Ｃｏｍｐａｃｔ  Ｄｉｓｃ−Ｒｅａｄ  Ｏｎｌｙ  Ｍｅｍｏｒｙ）等の不揮発性の記録媒体を含む。
【００１３】
本開示によれば、感染者の咳又はくしゃみにより飛沫感染することを適切に抑制することができる。
【００１４】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１５】
【図１】図１は、実施の形態１に係る飛沫感染抑制システムの概略構成を示す図
【図２】図２は、実施の形態１に係る飛沫感染抑制システムの機能構成を示すブロック図
【図３】図３は、実施の形態１に係る飛沫感染抑制システムの動作の一例を示すフローチャート
【図４】図４は、実施の形態１に係る飛沫感染抑制システムが咳又はくしゃみを検出したときの気流による分離の一例を示す図
【図５】図５は、実施の形態１に係る飛沫感染抑制システムが咳又はくしゃみを検出したときの気流による分離の他の一例を示す図
【図６】図６は、実施の形態１に係る飛沫感染抑制システムが咳又はくしゃみを検出したときの気流による分離の他の一例を示す図
【図７】図７は、実施の形態２に係る飛沫感染抑制システムが咳又はくしゃみを検出したときの気流による分離の一例を示す図
【図８】図８は、実施の形態２に係る飛沫感染抑制システムが咳又はくしゃみを検出したときの気流による分離の他の一例を示す図
【発明を実施するための形態】
【００１６】
（本開示の基礎となった知見）
感受者が感染者の咳又はくしゃみなどに暴露されてインフルエンザに感染すると、通常、１〜２日の潜伏期間を経て、高熱や激しい倦怠感に見舞われる。特に、子供や高齢者といった健康弱者の場合には、重症化しやすく、最悪の場合では死亡するケース報告例もある。したがって、多くの高齢者が居住している老人介護施設などの施設では、インフルエンザ対策を徹底することが急務である。介護施設側では、特に、施設職員の手指衛生の徹底、感染症対策マニュアルによる対策など様々な感染症対策が実施されているが、施設外からの感染症の持ち込みによる集団感染は定期的に起きている。インフルエンザは先にも述べた通り、主には飛沫感染と空気感染とが主要な感染ルートであるから、感染者の咳若しくはくしゃみに曝露されないようにすることが重要な対策手段である。
【００１７】
しかしながら、例えば、特許文献１では、予め感染者が特定されていない場合には適用が難しい。また、クリーンブースを必要とするなどシステムが大掛かりである。医師などの特定の人を飛沫感染から守る技術としては使えるが、例えば、介護施設のコミュニティルームなど多数の高齢者が同時に存在する場合に、これら高齢者をすべて守るには、コスト面や装置の大きさを考えると、現実的ではない。
【００１８】
特許文献２には、飛沫感染を抑制することについては開示されていない。また、汚染空気の効率の良い清浄化を目的としているため、部屋全体に気流を循環する必要があり、これに必要となる流量が大流量となる。必然的にシステム自体も大掛かりになる。
【００１９】
そこで、本願発明者は、適切に感受者を飛沫感染から防ぐことについて鋭意検討を行った。そして、咳またはくしゃみを検出し、かつ飛沫感染抑制システムが設けられる空間（例えば、室内の部屋など）に存在する人の位置に応じて気流を発生させることで、上記課題を解決することを見出した。
【００２０】
本開示の一態様に係る飛沫感染抑制システムは、空間を複数の第１領域に分離するための気流を発生する気流発生部と、前記複数の第１領域のそれぞれについて人を検出する第１検出部と、前記空間における咳またはくしゃみを検出する第２検出部と、前記第２検出部が前記咳またはくしゃみを検出した場合に、前記第１検出部によって検出された人がいる第１領域を含む１以上の第１領域からなる第２領域を他の領域から分離する気流を前記気流発生部に発生させる制御部とを備える。
【００２１】
これにより、制御部は、咳又はくしゃみを検出したときに気流を発生させることで、感染者が予めわかっていない場合であっても、当該気流により感染者の咳又はくしゃみによる飛沫が他の人に到達することを抑制することができる。つまり、咳又はくしゃみによる他の人への感染を抑制することができる。また、制御部は、人がいる第１領域を含む第２領域を分離する気流を気流発生部に発生させればよい。つまり、制御部は、複数の第１領域に分離する気流を発生可能な気流発生部から、第２領域と他の領域とを分離する局所的な気流を発生させればよい。上記のように、飛沫感染抑制システムは、感染者がどこにいるかわかっていない状態であっても、局所的な気流の発生で飛沫感染を抑制することができる。よって、本実施の形態に係る飛沫感染抑制システムは、感染者の咳又はくしゃみにより飛沫感染することを適切に抑制することができる。さらに、飛沫感染抑制システムは、気流発生部が局所的な気流を発生できればよいので、装置自体が大掛かりになることを抑制しつつ、かつ気流発生部全体から気流を発生させる場合に比べ消費電力を低減することができる。
【００２２】
また、前記制御部は、前記第１検出部が前記複数の第１領域のうち２以上の第１領域において人を検出した場合、前記２以上の第１領域を互いに分離する気流を前記気流発生部に発生させる。
【００２３】
これにより、咳又はくしゃみが検出された場合に、２以上の第１領域それぞれにいる人を気流により分離することができるので、咳又はくしゃみをした人を特定することなく、飛沫感染を抑制することができる。よって、感染者の咳又はくしゃみにより飛沫感染することをさらに適切に抑制することができる。
【００２４】
また、前記第２検出部は、前記第１検出部が前記複数の第１領域のうち２以上の第１領域において人を検出した場合、前記２以上の第１領域のうちの前記咳またはくしゃみをした人がいる第１領域を検出し、前記制御部は、前記第２検出部が検出した前記咳またはくしゃみをした人がいる前記第１領域からなる前記第２領域を前記他の領域から分離する気流を前記気流発生部に発生させる。
【００２５】
これにより、咳又はくしゃみが検出された場合に、咳又はくしゃみをした人がいる第１領域を当該第１領域以外の領域から分離する気流を発生させればよいので、発生させる気流の量を低減しつつ、飛沫感染を抑制することができる。よって、感染者の咳又はくしゃみにより飛沫感染することをさらに適切に抑制することができる。
【００２６】
また、机をさらに備え、前記気流発生部は、前記机に設けられており、前記机から上方に向けて気流を発生する。
【００２７】
これにより、机の周りに複数の人がいる状況で、感染者が咳又はくしゃみをした場合に、上方に向けて気流を発生させることで、飛沫が感受者に到達することを抑制することができる。よって、机の周りに複数の人がいる状況であっても、感染者の咳又はくしゃみにより飛沫感染することをさらに適切に抑制することができる。
【００２８】
また、前記気流発生部の形状は、前記机の平面視において、格子状である。
【００２９】
これにより、人がいる第１領域に応じた気流を適切に発生させることができる。
【００３０】
また、前記第２検出部は、前記机に設けられる。
【００３１】
これにより、机は検出部と通信するための無線通信部等の構成要素を有していなくてもよいので、当該机の小型化が可能となる。
【００３２】
また、前記第２検出部は、マイクロフォン又はカメラを有する。
【００３３】
これにより、一般的に使用されているマイクロフォン又はカメラにより、検出部を実現することができる。よって、飛沫感染抑制システムの汎用性を向上させることができる。
【００３４】
また、椅子をさらに備え、前記第１検出部は、前記椅子に設けられる。
【００３５】
これにより、人が椅子に着座したか否かにより、人がいる第１領域を容易に検出することができる。
【００３６】
また、前記第１検出部は、赤外線センサ又は圧力センサを有する。
【００３７】
これにより、一般的に使用されている赤外線センサ又は圧力センサにより、人検出部を実現することができる。よって、飛沫感染抑制システムの汎用性を向上させることができる。
【００３８】
また、本開示の一態様に係る飛沫感染抑制方法は、複数の第１領域のそれぞれについて人を検出するステップと、咳またはくしゃみを検出するステップと、前記咳またはくしゃみが検出された場合に、検出された人がいる第１領域を含む１以上の第１領域からなる第２領域を他の領域から分離する気流を気流発生部に発生させるステップとを含む。
【００３９】
これにより、上記飛沫感染抑制システムと同様の効果を奏する。
【００４０】
なお、これらの包括的又は具体的な態様は、システム、装置、方法、集積回路、コンピュータプログラム、又は、コンピュータ読み取り可能なＣＤ−ＲＯＭなどの非一時的な記録媒体で実現されてもよく、システム、装置、方法、集積回路、コンピュータプログラム、及び、記録媒体の任意な組み合わせで実現されてもよい。
【００４１】
以下、本開示の実施の形態に関して、図１〜図８を用いて詳細に説明する。
【００４２】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００４３】
なお、各図は、必ずしも厳密に図示したものではない。各図において、実質的に同一の構成については同一の符号を付し、重複する説明は省略又は簡略化する。
【００４４】
また、本明細書において、「上方」及び「下方」という用語は、絶対的な空間認識における上方向（鉛直上方）及び下方向（鉛直下方）を指す。なお、「上方」及び「下方」は、「鉛直上方」及び「鉛直下方」と完全に一致することに加え、実質的に同じ方向であることをも含む表現である。例えば、「上方」と「鉛直上方」とは、数％程度の誤差を含んでいてもよい。
【００４５】
また、本明細書および図面において、Ｘ軸、Ｙ軸及びＺ軸は、三次元直交座標系の三軸を示している。各実施の形態では、Ｘ軸方向及びＹ軸方向は、気流発生部が設けられる設置面と平行な方向とし、Ｚ軸方向は当該設置面に対して垂直な方向としている。また、本明細書において、「平面視」とは、設置面に対して垂直な方向に沿って飛沫感染抑制システムを見た場合を意味する。
【００４６】
また、本明細書において、平行などの要素間の関係性を示す用語、及び、矩形などの要素の形状を示す用語、並びに、数値、及び、数値範囲は、厳格な意味を表す表現ではなく、実質的に同等な範囲、例えば数％程度の差異をも含むことを意味する表現である。
【００４７】
また、本明細書において、「感染」とは生体内にウイルス、細菌等の微生物が侵入することを指し、この生体の持ち主を感染者とも記載する。また、微生物が侵入していない生体の持ち主、すなわち感染していない生体の持ち主を感受者とも記載する。
【００４８】
（実施の形態１）
以下、本実施の形態に係る飛沫感染抑制システム等について、図１〜図６を参照しながら説明する。
【００４９】
［１．飛沫感染抑制システムの概要］
まず、本実施の形態に係る飛沫感染抑制システム１０の構成について、図１及び図２を参照しながら説明する。
【００５０】
図１は、本実施の形態に係る飛沫感染抑制システム１０の概略構成を示す図である。図２は、本実施の形態に係る飛沫感染抑制システム１０の機能構成を示すブロック図である。
【００５１】
図１に示すように、飛沫感染抑制システム１０は、飛沫感染抑制机２０（以降において、机２０とも記載する）と、椅子３０とを備える。机２０と椅子３０とは、空間Ｒに設置される。空間Ｒは、例えば、介護施設のコミュニティルーム、会社の会議室、及び、飲食店など複数の人ｈが集まり、椅子３０に座って、机２０でコミュニケーションを行うような空間である。また、空間Ｒとは、例えば、人ｈが搭乗する移動体（車両及び飛行機など）内の空間（例えば、閉鎖空間）であってもよい。また、空間Ｒは、屋外の空間であってもよい。なお、飛沫感染抑制システム１０が備える机２０及び椅子３０の数は特に限定されない。
【００５２】
また、以下において、飛沫感染抑制システム１０は、机２０と椅子３０とを備える構成について説明するが、これに限定されない。飛沫感染抑制システム１０は、机２０及び椅子３０の少なくとも一方を備えていなくてもよい。飛沫感染抑制システム１０は、例えば、移動体に設けられる場合、机２０及び椅子３０のうち椅子３０のみを備えていてもよい。
【００５３】
また、人ｈは空間Ｒ内に存在する人であり、コミュニティルームなどで会話を行うなどの目的で空間Ｒ内に入室している人であってもよい。本実施の形態では、人ｈが感染症に感染しているかは、基本的には判定しない。人ｈが感染症に感染した場合、感染力を有する期間と、症状を発症する期間とがあり、通常、２つの期間は異なる。症状が現れ、体温が上昇するなどしていれば、感染している事はわかるが、実際にはそれよりもかなり前の段階で感染者は感染力を有している。そして、現時点での技術では感染力を有し始めた瞬間、すなわち感染者となった瞬間を捉えることは極めて困難であるので区別しない。ただし、予め医師の診断又は何かの測定によって、人ｈが感染者であるということが分かっている場合には、その情報を加味し、飛沫感染抑制システム１０の制御方法を変更してもよい。より具体的には、感染者が咳又はくしゃみをしたときだけ、飛沫感染抑制システム１０を動作させてもよい。なお、以下では、人ｈが感染症に感染しているいか否かの判定は行わない場合について説明する。
【００５４】
机２０は、例えば、人ｈがコミュニケーション等を行う際に使用する為の机であるが、当該机２０の用途はこれに限定されず、作業を行うための作業台であってもよいし、人ｈがその周囲に集まるのであればその他の用途に用いられる机であってもよい。机２０は、図１及び図２に示すように、本体部２１と、検出部２４と、制御部２５と、気流発生部２６と、通信部２７とを有する。本実施の形態において、飛沫感染抑制システム１０が備える検出部２４の数は、例えば１個である。
【００５５】
本体部２１は、机２０の本体部分であり、天板２２と支持脚２３とを有する。例えば、本体部２１には、検出部２４及び気流発生部２６などが埋め込まれていてもよい。
【００５６】
天板２２は、人ｈが書類などを広げるための板状の部材である。天板２２は、例えば平板状であってもよいし、曲板状であってもよい。天板２２の平面視における形状は特に限定されず、矩形状であってもよいし、円形であってもよいし、多角形であってもよい。また、天板２２の材質は、特に限定されず、木材、金属、樹脂などの中から適宜選択することができる。
【００５７】
支持脚２３は、天板２２から下方に延設され、天板２２を支持するための脚部である。支持脚２３の形状は特に限定されず、机２０を設置面（例えば、床など）に安定して配置できる形状であればよい。支持脚２３の本数も特に限定されず、複数本であってもよい。また、支持脚２３の材質は、特に限定されず、木材、金属、樹脂などの中から適宜選択すればよい。
【００５８】
検出部２４は、空間Ｒにいる人ｈの咳またはくしゃみを検出する。本実施の形態では、検出部２４は、咳及びくしゃみの両方を継続的に検出する。検出部２４は、例えば、空間Ｒ内の椅子３０に座っている人ｈの咳及びくしゃみを検出する。検出部２４は、検出した結果を制御部２５に出力する。検出部２４は、第２検出部の一例である。
【００５９】
検出部２４は、例えば、収音装置（例えば、マイクロフォン）を含んで構成されてもよい。検出部２４は、例えば、マイクロフォンによる音声検出により、人ｈが咳又はくしゃみをしたことを検出する。検出部２４は、マイクロフォンで取得した音声をスペクトル解析することによって、咳又はくしゃみであるか否かを判定することができる。この時、音の大きさ（ｄＢ）の閾値を設けてもよい。具体的には、検出部２４は、閾値以下のスペクトルは検出対象外と判定することで、着座している人ｈの咳又はくしゃみを選択的に検出することができる。
【００６０】
なお、検出部２４は、撮像装置（例えば、カメラ）を含んで構成されてもよい。検出部２４は、撮像装置が撮像した画像を画像処理し分析することで、咳またはくしゃみを検出してもよい。この場合には、例えば、機械学習などの分類アルゴリズムによって、画像処理により得られた動作パターンが咳又はくしゃみであるか否かを容易に分類することができる。また、検出部２４は、収音装置と撮像装置との組み合わせで構成されていてもよい。
【００６１】
検出部２４は、例えば、机２０の一部として組み込まれてもよい。これにより、机２０の外部に検出部２４が設けられている場合の、机２０と検出部２４との通信のための通信部を省くことができる。さらに、検出部２４を咳又はくしゃみの発生場所の近傍に配置させることができるので、机２０でコミュニケーションを行っている人ｈの咳又はくしゃみの検出を高精度に行える。検出部２４を机２０の一部に埋め込む場合には、例えば、小型のマイクロフォンを机２０に埋め込むなどすればよい。
【００６２】
なお、検出部２４は、机２０に設けられることに限定されない。検出部２４は、机２０が設置される空間Ｒにおいて、咳及びくしゃみを検出することできる位置に設置されていればよい。この場合、検出部２４は、咳又はくしゃみを検出すると、咳又はくしゃみを検出したことを示す検出フラグを机２０に出力する。机２０は、通信部２７を介して検出フラグを取得する。なお、検出部２４は、検出した情報を保存しておくメモリを有していていもよい。
【００６３】
制御部２５は、机２０の各構成要素を制御する制御装置である。制御部２５は、例えば、検出部２４の咳及びくしゃみの検出結果と、椅子３０から取得する人の検出結果とから、気流発生部２６に所定の気流を発生させる制御を行う。本実施の形態では、制御部２５は、気流発生部２６から上方に局所的な気流を発生させる。具体的には、制御部２５は、咳又はくしゃみが検出されると、人検出部３１が検出した人ｈがいる領域を他の領域から分離するような気流を気流発生部２６に発生させる。また、制御部２５は、現在の年月日及び時刻を計時するリアルタイムクロック機能を有していてもよい。
【００６４】
制御部２５が気流発生部２６に発生させる気流の風速について、図１を参照しながら説明する。制御部２５が気流発生部２６に発生させる気流の風速は、例えば、机２０の大きさ、及び、気流発生部２６から人ｈの口周辺までのＺ軸方向と水平な方向の距離により決定される。図１に示すように、向かって左側の人ｈが対面している人ｈに向けて咳又はくしゃみをした場合、咳又はくしゃみによる飛沫ｓが気流発生部２６の上方を通過する前に飛沫ｓの高さに到達する気流２６ａを発生させる必要がある。そこで、制御部２５は、飛沫ｓが気流発生部２６を通過するまでの時間内で、当該飛沫ｓが通過する高さに到達する風速の気流２６ａを発生させる。制御部２５が制御する気流２６ａの風速は、例えば、数ｍ／ｓである。咳又はくしゃみによる飛沫ｓの速度は、例えば、１０ｍ／ｓを用いてもよい。また、飛沫sが通過する高さは、例えば、飛沫感染抑制システム１０が設置された空間Ｒを使用する人の属性（子供又は大人など）における平均的な身長等から算出されてもよい。また、気流２６ａの風速は、検出部２４が咳又はくしゃみを検出してから気流発生部２６が気流２６ａを発生させるまでのタイムラグを考慮して設定されてもよい。すなわち、風速は、飛沫ｓが気流発生部２６を通過するまでの時間、飛沫ｓの高さ、及び、タイムラグに基づいて設定されてもよい。これにより、より確実に飛沫ｓが対面している人ｈに到達することを抑制することができる。
【００６５】
気流発生部２６は、飛沫感染抑制システム１０が設置された空間を複数の領域（後述する図４に示す第１領域Ａ１）に分離する気流を発生可能な装置である。本実施の形態では、気流発生部２６は、当該気流発生部２６が設置された物体（本実施の形態では、机２０）上の空間を複数の領域に分離可能である。また、気流発生部２６は、制御部２５の制御により、複数の領域のうちの所定の領域（複数の領域のうちの１以上の領域を含む領域であり、後述する図４に示す第２領域Ａ２）を他の領域から分離する気流を発生する。
【００６６】
なお、本願明細書において、「分離」とは、異なる２つの領域（例えば、異なる２つ第２領域Ａ２）の間に気流を発生させて、互いの領域の空気の流れを遮ることを意味する。「分離」とは、例えば、異なる２つの領域の間に飛沫ｓの位置までの気流の流れによる壁を発生させることで互いの領域の空気の流れを遮ることを意味する。また、「人を分離する」とは、例えば、異なる２つの領域（例えば、異なる２つ第２領域Ａ２）それぞれに人がいる場合、当該２つの領域の間に気流を発生させることで、人がいる領域同士の空気の流れを遮ることを意味する。
【００６７】
なお、本実施の形態では、机２０の天板２２の上部に埋め込まれて設置される。
【００６８】
気流発生部２６は、ＤＣ（Ｄｉｒｅｃｔ  Ｃｕｒｒｅｎｔ）ファンなど気流を発生させるデバイスを使用することができる。ＤＣファンなどの気流発生装置を机２０にアレイ状に埋め込むことで、スポット状の気流ではなく、エアカーテンのように面状の気流を生成することができる。言い換えると、気流発生部２６は、エアカーテンのような面状の気流を発生させる装置である。
【００６９】
なお、エアカーテンとは、一般的に用いられているエアカーテンという用語と同様の概念を示すものであり、特に特異な概念を示すものではなく空気の流れにより一種の壁のような状態を構成するものを示す。すなわち、本実施の形態におけるエアカーテンは、空気の流れを遮断する機能を奏するものである。気流発生部２６は、この点において温度調節機能を主目的として温度の伝達を効率良く行なうべく空気を循環又は混合するために送風する機能を奏するエア・コンディショナーとは異なる。
【００７０】
また、気流発生部２６は、対面する人ｈ同士の中間の位置（図１では、対面する２人の人ｈのＸ軸方向における中間の位置）に設けられるとよい。これにより、対面する人ｈのどちらが咳又はくしゃみをしても、同程度に飛沫感染を抑制することができる。
【００７１】
通信部２７は、椅子３０から人ｈを検出したことを示す信号を取得する。通信部２７は、通信回路から構成される。なお、机２０が検出部２４及び人検出部３１を備えている場合、通信部２７は設けられなくてもよい。
【００７２】
通信部２７が無線通信回路である場合、椅子３０から送信される信号を受信するが、送信されてくる信号の方向及び強度により、当該椅子３０と机２０との相対的な位置関係を取得することができる。つまり、人ｈがどの椅子３０に着座しているかを、検出することができる。なお、机２０は、当該机２０と椅子３０との相対的な位置関係を精度よく検出する観点から、通信部２７を複数有していてもよい。
【００７３】
椅子３０は、人ｈが着座する椅子であり、机２０の周囲に配置される。図１及び図２に示すように、椅子３０は、人検出部３１と、通信部３２とを有する。
【００７４】
人検出部３１は、椅子３０に人ｈが着座しているか否かを検出する。人検出部３１は、例えば、椅子３０に埋め込まれた赤外線センサ又は圧力センサによって実現される。これにより、人ｈを容易に検出することができ、システムの実装がより容易になる。人検出部３１が椅子３０に設けられる場合、複数の椅子３０のそれぞれに人検出部３１が設けられる。これにより、介護施設のコミュニティルーム及びオフィスの会議室など多数の人が同時にコミュニケーションを行うような場合に、どこに人が存在している（着座している）かを容易に判定することができる。
【００７５】
なお、人検出部３１は、椅子３０に設けられていなくてよい。人検出部３１は、例えば、椅子３０の外部に設置されていてもよい。人検出部３１は、例えば机２０に設置されていてもよい。また、人検出部３１は、撮像装置であってもよいし、人ｈが身に着けるタグなどウエラブルセンサから信号を取得することで人を検出する取得部であってもよい。また、人検出部３１は、第１検出部の一例である。
【００７６】
通信部３２は、人検出部３１が人ｈを検出すると、机２０に人ｈを検出したことを示す信号を出力する。通信部３２は、人検出部３１が人ｈを検出している間、信号の出力を継続してもよいし、人ｈの検出の開始及び終了を示す信号を出力してもよい。
【００７７】
［２．飛沫感染抑制システムの動作］
次に、本実施の形態に係る飛沫感染抑制システム１０の動作について、図３〜図６を参照しながら説明する。
【００７８】
図３は、本実施の形態に係る飛沫感染抑制システム１０の動作の一例を示すフローチャートである。なお、図３において、飛沫感染抑制システム１０の各構成要素は、電源が入っているものとする。
【００７９】
図３に示すように、机２０は、まず椅子３０から人の在／不在の情報を取得する（Ｓ１０）。制御部２５は、通信部２７を介して複数の椅子３０のそれぞれから、人の在／不在の情報を取得する。制御部２５は、例えば、椅子３０から当該椅子３０が有する人検出部３１が人を検出したことを示す情報を取得することで、人の在／不在の情報を取得する。言い換えると、人検出部３１は、複数の椅子３０のそれぞれについて、人を検出する。これにより、制御部２５は、どの椅子３０に人ｈが着座しているかを検出することができる。制御部２５は、複数の人ｈがそれぞれ椅子３０に着座している場合、複数の人ｈがそれぞれどの椅子３０に着座しているかを人検出部３１の検出結果から検出することができる。すなわち、制御部２５は、咳又はくしゃみから防がれる人ｈがどの椅子３０に着座しているかを検出することができる。
【００８０】
なお、ステップＳ１０において人検出部３１が複数の椅子３０のそれぞれについて人を検出することは、複数の第１領域（図４に示す第１領域Ａ１）のそれぞれについて人を検出することに相当する。また、ステップＳ１０は、複数の第１領域Ａ１のそれぞれについて人を検出するステップの一例である。
【００８１】
次に、検出部２４は、第１の咳又はくしゃみを検出したか否かを判定する（Ｓ２０）。制御部２５は、検出部２４（例えば、机２０に埋め込まれたマイクロフォン）の検出結果を取得する。なお、本実施の形態では、机２０の周囲のどこで咳又はくしゃみが発生したかは検出しない。すなわち、着座している複数の人ｈのうち、誰が咳又はくしゃみをしたかは検出しない。なお、ステップＳ２０は、咳またはくしゃみを検出するステップの一例である。
【００８２】
制御部２５は、検出部２４が咳又はくしゃみを検出した場合（Ｓ２０でＹｅｓ）、人ｈの位置に応じて、気流制御パターンを計算する（Ｓ３０）。制御部２５は、着座している人ｈを飛沫感染の暴露から防ぐために、人ｈを分離する気流パターンを計算する。制御部２５は、複数の人ｈの誰が咳又はくしゃみをしたかを検出しないので、当該複数の人ｈそれぞれを分離する気流２６ａを発生させるための気流パターンを計算する。具体的には、制御部２５は、複数の人ｈそれぞれがいる領域を分離するための気流２６ａを発生させる気流パターンを計算する。そして、制御部２５は、計算した気流パターンに基づいて、気流発生部２６に気流２６ａをｏｎさせる（Ｓ４０）。すなわち、制御部２５は、気流発生部２６に気流２６ａの発生を開始させる。本実施の形態では、制御部２５は、気流発生部２６に上方に向けて気流２６ａを発生させる。なお、制御部２５は、気流発生部２６に気流２６ａを発生させるとともに、気流２６ａを発生させている経過時間の計測を開始する。
【００８３】
ここで、気流発生部２６が発生する気流のパターンについて、図４を参照しながら説明する。図４は、本実施の形態に係る飛沫感染抑制システム１０が咳又はくしゃみを検出したときの気流による分離の一例を示す図である。図４は、机２０を平面視したときの図である。
【００８４】
なお、図４では、机２０の天板２２に格子状に気流発生部２６が設けられている例を示している。気流発生部２６は、例えば、机２０の長手方向及び短手方向と平行な方向に延びて形成される。気流発生部２６は、机２０上の空間を８つの第１領域Ａ１に分離する気流を発生可能なように設けられている。気流発生部２６は、当該気流発生部２６により分離される複数の第１領域Ａ１の面積がそれぞれ等しいように設けられてもよい。また、飛沫感染抑制システム１０が備える椅子３０は、８脚であり、そのうち３脚に人が着座しているとする。また、気流発生部２６の幅ｄは、例えば想定される飛沫ｓの大きさ等により決定される。気流発生部２６の幅ｄは、例えば、１ｃｍ程度である。また、図４におけるドットハッチングは、気流発生部２６のうち気流を発生させている部分を示す。
【００８５】
なお、気流発生部２６は、机２０の機能を阻害しない形状であれば、格子状であることに限定されない。また、机２０が会議室などで使用される机である場合、気流発生部２６は、例えば、机２０の上にある書類などが気流で飛ぶことを防ぐため、天板２２の全面には設けられない。
【００８６】
制御部２５は、ステップＳ１０により、３人の人ｈ１〜ｈ３が図４に示す位置に着座していることを示す情報を取得する。そして、人ｈ１が咳又はくしゃみをしたとする。すなわち、図４の場合、人ｈ１は感染者であり、人ｈ２及びｈ３は感受者である。制御部２５は、検出部２４が人ｈ１の咳又はくしゃみを検出すると、人ｈ１〜人ｈ３を分離するための気流を発生させる気流パターンを計算し、当該気流パターンに応じた気流２６ｂを気流発生部２６に発生させる。制御部２５は、格子状の気流発生部２６のうち、気流パターンに応じた部分から気流を発生させる。すなわち、制御部２５は、複数の第１領域Ａ１のうち人検出部３１が検出した人がいる第１領域Ａ１を含む１以上の第１領域Ａ１からなる第２領域Ａ２を他の領域から分離する気流を気流発生部２６に発生させる。言い換えると、制御部２５は、第１検出部３１によって人が検出された第１領域Ａ１を、少なくとも１つの他の第１領域Ａ１から分離する気流を気流発生部２６に発生させる。
【００８７】
具体的には、制御部２５は、Ｙ軸方向（人が並ぶ方向）に隣り合う２つの第１領域Ａ１を含む第２領域Ａ２に分離する気流を発生している例を示している。制御部２５は、例えば、人ｈ１がいる第１領域Ａ１を含む２つの第１領域Ａ１からなる第２領域Ａ２を他の領域から分離する気流を発生させている。また、制御部２５は、人ｈ２がいる第１領域Ａ１を含む２つの第１領域Ａ１からなる第２領域Ａ２を他の領域から分離する気流を発生させている。また、制御部２５は、人ｈ３がいる第１領域Ａ１を含む２つの第１領域Ａ１からなる第２領域Ａ２を他の領域から分離する気流を発生させている。
【００８８】
これにより、咳又はくしゃみをした人が特定できていない場合であっても、咳又はくしゃみをした人（例えば、人ｈ１）以外で着座している人（例えば、人ｈ２及びｈ３）が飛沫ｓに暴露されることを抑制することができる。また、格子状の気流発生部２６のうち、十字状の部分を動作させることで、飛沫感染を抑制することができる。言い換えると、気流発生部２６の全域を動作させることなく、飛沫感染を抑制することができる。
【００８９】
なお、気流パターンは、図４に示すパターンに限定されない。気流パターンの他の例について、図５及び図６を参照しながら説明する。図５は、本実施の形態に係る飛沫感染抑制システム１０が咳又はくしゃみを検出したときの気流による分離の他の一例を示す図である。なお、格子状の気流発生部２６のピッチｐは、例えば、人が座る間隔（例えば、椅子３０が配置される間隔）であるとよい。ピッチｐは、例えば、５０ｃｍ〜１００ｃｍ程度である。なお、ピッチｐとは、気流発生部２６の第１領域Ａ１を区画するための部分のうち、平行な関係にある部分の距離である。ピッチｐは、例えば、当該平行な関係にある部分の中央（例えば、幅ｄの中央）同士の距離である。
【００９０】
図５に示すように、制御部２５は、検出部２４が咳又はくしゃみを検出すると、人ｈ１〜ｈ３のそれぞれを囲むような気流を発生させてもよい。具体的には、制御部２５は、人が検出された第１領域Ａ１からなる第２領域Ａ２を他の領域から分離する気流を気流発生部２６に発生させてもよい。制御部２５は、例えば、人ｈ１及びｈ２がいる第１領域Ａ１それぞれを区画する気流２６ｃと、人ｈ２がいる第１領域Ａ１を区画する気流２６ｄとを発生させてもよい。
【００９１】
図６は、本実施の形態に係る飛沫感染抑制システム１０が咳又はくしゃみを検出したときの気流による分離の他の一例を示す図である。具体的には、図４及び図５とは、人ｈ３が着座している位置が異なる。
【００９２】
図６に示すように、制御部２５は、検出部２４が咳又はくしゃみを検出すると、人ｈ１〜ｈ３のそれぞれを囲むような気流を発生させてもよい。具体的には、制御部２５は、Ｘ軸方向(人が対面する方向)に隣り合う２つの第１領域Ａ１を含む第２領域Ａ２に分離する気流を発生している例を示している。制御部２５は、例えば、人ｈ１がいる第１領域Ａ１を含む２つの第１領域Ａ１からなる第２領域Ａ２を他の領域から分離する気流を発生させている。また、制御部２５は、人ｈ２がいる第１領域Ａ１を含む２つの第１領域Ａ１からなる第２領域Ａ２を他の領域から分離する気流を発生させている。また、制御部２５は、人ｈ３がいる第１領域Ａ１を含む４つの第１領域Ａ１からなる第２領域Ａ２を他の領域から分離する気流を発生させている。図６に示すように、複数の第２領域Ａ２が形成される場合、複数の第２領域の平面視形状及び第２領域に含まれる第１領域の数は異なっていてもよい。制御部２５は、例えば、人ｈ１と人ｈ２とを分離するための気流２６ｅと、人ｈ２と人ｈ３とを分離するための気流２６ｆとを発生させる。
【００９３】
なお、制御部２５は、人ｈ１がいる第１領域Ａ１を含む第２領域Ａ２と、人ｈ２がいる第１領域Ａ１を含む第２領域Ａ２と、人ｈ３がいる第１領域Ａ１を含む第２領域Ａ２とを分離することができれば、図４〜図６に示す気流パターン以外の気流パターンにより気流を発生させてもよい。なお、ステップＳ４０は、第２領域Ａ２を他の領域から分離する気流を気流発生部２６に発生させるステップの一例である。
【００９４】
図３を再び参照して、次に、制御部２５は、気流発生部２６に気流（例えば、気流２６ｂ）の発生を開始してから所定時間経過したか否かの判定を行う（Ｓ５０）。制御部２５は、所定時間経過していると判定する（Ｓ５０でＹｅｓ）と、気流発生部２６による気流２６ｂをｏｆｆする（Ｓ６０）。すなわち、制御部２５は、気流発生部２６による気流２６ｂの発生を停止させる。なお、所定時間は、咳又はくしゃみによる飛沫感染のリスクが所定の以下となるまでの時間であってもよい。また、所定時間は、机２０の大きさなどにより設定されてもよい。所定の期間は、机２０が大きいほど長く設定されてもよく、例えば、１〜５分である。
【００９５】
また、制御部２５は、所定時間経過していないと判定する（Ｓ５０でＮｏ）と、第２の咳又はくしゃみを検出したか否かの判定を行う（Ｓ７０）。第２の咳又はくしゃみとは、第１の咳又はくしゃみの後に発生した咳又はくしゃみである。制御部２５は、第２の咳又はくしゃみを検出する、つまり第１の咳又はくしゃみによる気流２６ｂが発生しているときに第２の咳又はくしゃみを検出する（Ｓ７０Ｙｅｓ）と、経過時間ｔをリセット（ｔ＝０）（Ｓ８０）し、最初から経過時間ｔの計測を行う。言い換えると、制御部２５は、第１の咳又はくしゃみによる気流２６ｂを発生させているときに第２の咳又はくしゃみを検出すると、第１の咳又はくしゃみによる経過時間ｔの計測を停止し、第２の咳又はくしゃみによる経過時間ｔの計測を開始する。制御部２５は、最も直近に咳又はくしゃみを検出してから所定時間経過後に気流２６ｂを停止する制御を行う。これにより、気流２６ｂの発生中に生じた第２の咳又はくしゃみによる飛沫感染が発生することを抑制することができる。なお、第２の咳又はくしゃみが検出されない（Ｓ７０でＮｏ）と、経過時間ｔのカウントを１増やし（ｔ＝ｔ＋１）（Ｓ９０）、ステップＳ５０に戻り、再度経過時間の判定が行われる。
【００９６】
なお、第１の咳又はくしゃみと第２の咳又はくしゃみとは同一の人により行われてもよいし、異なる人によって行われてもよい。
【００９７】
なお、図４では、３人の人ｈ１〜ｈ３が存在する場合について説明したが、制御部２５は、着座している人が１人（例えば、人ｈ１）であり、当該人の咳又はくしゃみが検出された場合、気流発生部２６を制御し、当該人を囲む気流を発生させてもよい。具体的には、当該人がいる第１領域Ａ１を含む第２領域Ａ２を他の領域から分離する気流を発生させてもよい。これにより、例えば、人ｈ１が咳又はくしゃみをした直後に椅子３０に着座した人が飛沫感染することを抑制することができる。また、制御部２５は、着座している人が１人であり、当該人の咳又はくしゃみが検出された場合、気流発生部２６に気流を発生させなくてもよい。これにより、他の人に飛沫感染するリスクが低いときに、気流発生部２６が動作しないので、飛沫感染抑制システム１０の消費電力を低減することができる。
【００９８】
上記のように、空間を複数の第１領域Ａ１に分離するための気流を発生可能な気流発生部２６と、当該複数の第１領域Ａ１のそれぞれについて人を検出する（本実施の形態では、複数の第１領域Ａ１に対応する位置に設けられる椅子３０それぞれに人が着座していることを検出する）人検出部３１と、咳またはくしゃみを検出する検出部２４と、検出部２４が咳またはくしゃみを検出した場合に、人検出部３１によって検出された人がいる第１領域Ａ１を含む１以上の第１領域Ａ１からなる第２領域Ａ２を他の領域から分離する気流を気流発生部２６に発生させる制御部２５とを備える。
【００９９】
制御部２５は、咳又はくしゃみを検出したときに気流を発生させることで、感染者が予めわかっていない場合であっても、当該気流により感染者の咳又はくしゃみによる飛沫が他の人がいる領域（他の領域）に到達することを抑制することができる。つまり、咳又はくしゃみによる他の人への感染を抑制することができる。また、制御部２５は、複数の第１領域Ａ１に分離する気流を発生可能な気流発生部２６から、第２領域Ａ２と他の領域とを分離する局所的な気流を発生させればよい。上記のように、飛沫感染抑制システム１０は、感染者がどこにいるかわかっていない状態であっても、局所的な気流の発生で飛沫感染を抑制することができる。よって、本実施の形態に係る飛沫感染抑制システム１０は、感染者の咳又はくしゃみにより飛沫感染することを適切に抑制することができる。
【０１００】
咳又はくしゃみによる飛沫は、例えば５〜８秒以内に１ｍ先まで到達するため、通常のエア・コンディショナー及び空気清浄機の風向制御では風の到達が間に合わず飛沫感染を抑制できない可能性が高い。一方、本実施の形態に係る飛沫感染抑制システム１０によれば、咳又はくしゃみが発生する近傍である机２０から直接気流（例えば気流２６ｂ）を発生させるので、気流２６ｂの形成を間に合わせることができる。
【０１０１】
これにより、飛沫感染という短い期間のイベントを防ぐことができる。また、人ｈによっては咳又はくしゃみの飛散速度が異なる可能性もある。そこで、制御部２５は、例えば、マイクロフォンを咳又はくしゃみの検出に用いた場合に、検出されるスペクトルの大きさによって、気流発生部２６から発生する気流の風速を制御してもよい。制御部２５は、検出されるスペクトルの大きさが大きいほど、風速を速くしてもよい。こうすることで、通常予測されるより速く飛散する飛沫に対しても飛沫感染を防ぐことができる。
【０１０２】
（実施の形態２）
以下、本実施の形態に係る飛沫感染抑制システム１０等について、図７及び図８を参照しながら説明する。なお、本実施の形態では、主に実施の形態１と異なる点について説明し、実施の形態１と同様の構成については説明を省略又は簡略化する。本実施の形態に係る飛沫感染抑制システム１０は、咳又はくしゃみを検出する検出部２４を複数備えている。本実施の形態では机２０が多人数で使用されることを想定しており、例えば、指向性を有するマイクロフォンを机２０に複数設置することで、机２０のどの場所で咳又はくしゃみが発生したかを高精度に検出することができる。マイクロフォンは、例えば、机２０に埋め込まれていてもよい。
【０１０３】
以下に、咳又はくしゃみをした人の位置を特定することができる、つまり咳又はくしゃみをした人がいる第１領域Ａ１を検出することができる場合における気流パターンについて説明する。なお、飛沫感染抑制システム１０の動作は、基本的には実施の形態１と同様であり、相違点を図３を参照しながら説明する。
【０１０４】
本実施の形態に係る飛沫感染抑制システム１０は、ステップＳ２０において、第１の咳又はくしゃみを検出した場合、さらに当該咳又はくしゃみをした人の位置を特定する。具体的には、検出部２４は、咳又はくしゃみをしたがいる第１領域Ａ１を特定する。そして、制御部２５は、ステップＳ３０において、咳又はくしゃみをした人がいる第１領域Ａ１に応じて、気流パターンを計算する。具体的には、制御部２５は、咳又はくしゃみをした人（感染者）と、それ以外の人（感受者）とを分離するような気流パターンを生成する。図７は、本実施の形態に係る飛沫感染抑制システム１０が咳又はくしゃみを検出したときの気流による分離の一例を示す図である。
【０１０５】
図７に示すように、制御部２５は、咳又はくしゃみを行った人ｈ１を検出できているので、当該人ｈ１とそれ以外の人ｈ２及びｈ３とを分離するような気流パターンの気流２６ｇを発生させる。制御部２５は、検出部２４が検出した咳またはくしゃみをした人ｈ１がいる第１領域Ａ１からなる第２領域Ａ２を他の領域から分離する気流を気流発生部２６に発生させる。制御部２５は、例えば、当該人ｈ１の正面及び側方を囲むような気流パターンの気流２６ｇを発生させる。これにより、気流発生部２６のうち気流を発生させている部分を少なくすることができるので、効果的に飛沫感染を抑制することができる。
【０１０６】
また、図７に示す気流２６ｇが発生している状態で、人ｈ２が咳又はくしゃみをした場合について、図８を参照しながら説明する。図８は、本実施の形態に係る飛沫感染抑制システム１０が咳又はくしゃみを検出したときの気流による分離の他の一例を示す図である。
【０１０７】
図８に示すように、図７に示す気流２６ｇが発生している状態で、人ｈ２が咳又はくしゃみをした場合、検出部２４は人ｈ２が咳又はくしゃみをしたことを検出する（図３に示すステップＳ７０でＹｅｓに相当）。制御部２５は、さらに人ｈ２を囲む気流２６ｈを発生させる。制御部２５は、検出部２４が検出した咳又はくしゃみをした人ｈ２がいる第１領域Ａ１からなる第２領域Ａ２を他の領域から分離する気流２６ｈを気流発生部２６に発生させる。これにより、複数人が咳又はくしゃみをした場合であっても、効果的に飛沫感染を抑制することができる。
【０１０８】
なお、制御部２５は、気流２６ｈの発生を開始したときに、気流２６ｇを発生させている経過時間をリセットしなくてもよい。これにより、気流２６ｈが発生している状態で、人ｈ１の咳又はくしゃみによる感染のリスクが低減したときに、気流２６ｇを停止させることができるので、消費電力を低減しつつ、適切に飛沫感染を抑制することができる。
【０１０９】
上記のように、人検出部３１が、複数の第１領域Ａ１のうち２以上の第１領域Ａ１において人を検出しとときに、検出部２４は、２以上の第１領域Ａ１のうちのどの第１領域Ａ１にいる人が咳またはくしゃみをしたかを検出する。そして、制御部２５は、検出部２４が検出した咳またはくしゃみをした人がいる第１領域Ａ１からなる第２領域Ａ２を他の領域から分離する気流（例えば、気流２６ｇ）を気流発生部２６に発生させる。
【０１１０】
これにより、咳又はくしゃみをした人がいる第１領域Ａ１からなる第２領域を他の領域から分離する気流２６ｇを発生させればよいので、気流発生部２６において気流を発生させる部分（例えば、気流発生部２６が動作する部分）を少なくすることができる。また、咳又はくしゃみをした人（感染者）を他の人（感受者）から分離することができる。つまり、咳又はくしゃみをした人（例えば、人ｈ１）とその人の正面等に存在する人（例えば、人ｈ２及びｈ３）との間に局所的に気流を発生させることができ、正面等に存在する人が飛沫ｓに曝露されることを抑制することができる。よって、感染者の咳又はくしゃみにより飛沫感染することをさらに適切に抑制することができる。具体的には、飛沫感染抑制システム１０における消費電力をさらに低減しつつ、飛沫感染を抑制することができる。
【０１１１】
（その他の実施の形態）
以上、本開示の１つまたは複数の態様に係る飛沫感染抑制システム等について、実施の形態に基づいて説明したが、本開示は、この実施の形態に限定されるものではない。本開示の趣旨を逸脱しない限り、当業者が思いつく各種変形を本実施の形態に施したものも、本開示の１つまたは複数の態様の範囲内に含まれてもよい。
【０１１２】
例えば、上記実施の形態では、検出部及び気流発生部が机に設けられ、人検出部が椅子に設けられる例について説明したが、これに限定されない。飛沫感染抑制システムが屋内の空間に設けられる場合、当該空間内に検出部、気流発生部、及び、人検出部が設けられていればよい。検出部、気流発生部、及び、人検出部は、例えば、空間を構成する床、壁、天井などに設けられていてもよい。例えば、床、壁、天井などに埋め込まれていてもよい。
【０１１３】
また、上記実施の形態では、気流発生部は上方に向けて気流を発生する例について説明したが、これに限定されない。気流発生部が天井などの人より高い位置に設けられる場合、当該気流発生部は下方（例えば床）に向けて気流を発生させてもよい。また、気流発生部が壁などに設けられる場合、当該気流発生部は人を横切るような気流を発生させてもよい。
【０１１４】
また、上記実施の形態では、気流は所定時間経過すると停止される例について説明したが、これに限定されない。咳又はくしゃみをした人を特定することができる場合、人検知部が咳又はくしゃみをした人を検出している間、継続して気流を発生させてもよい。
【０１１５】
また、上記実施の形態における装置間（例えば、机と椅子との間など）の通信方法については特に限定されない。装置間では、無線通信が行われてもよいし、有線通信が行われてもよい。
【０１１６】
また、上記実施の形態では、飛沫感染抑制システムが気流発生部を備える例について説明したが、これに限定されない。飛沫感染抑制システムは、空間を複数の第１領域に分離する気流を発生可能な気流発生部に気流を発生させる制御を行うシステムであってもよい。また、飛沫感染抑制システムは、さらに、第１検出部および第２検出部を備えておらず、第１検出部及び第２検出部から検出結果を取得する取得部を備える構成であってもよい。すなわち、飛沫感染抑制システムは、第１検出部及び第２検出部から検出結果を取得する取得部（例えば、通信部）と、第１検出部が検出した人がいる第１領域を含む１以上の第１領域からなる第２領域を他の領域から分離する気流を発生させる制御信号を気流発生部に出力する制御部とを備える構成であってもよい。また、「人を検出する」には、取得部が第１検出部から検出結果を取得することが含まれる。すなわち、飛沫感染抑制システムは、第１検出部の検出結果を取得することで、人を検出してもよい。また、「咳またはくしゃみを検出する」には、取得部が第２検出部から検出結果を取得することが含まれる。すなわち、飛沫感染抑制システムは、第２検出部の検出結果を取得することで、咳またはくしゃみを検出してもよい。
【０１１７】
また、上記実施の形態において説明された複数の処理の順序は一例である。複数の処理の順序は、変更されてもよいし、複数の処理は、並行して実行されてもよい。
【０１１８】
また、上記実施の形態において、制御部などの構成要素の全部又は一部は、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）またはプロセッサなどのプログラム実行部が、ハードディスクまたは半導体メモリなどの記録媒体に記録されたソフトウェアプログラムを読み出して実行することによって実現されてもよい。
【０１１９】
また、上記実施の形態において、制御部などの構成要素の全部又は一部は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１２０】
また、例えば、本開示は、上記実施の形態の飛沫感染抑制システムが行う処理をコンピュータに実行させるためのプログラムとして実現されてもよい。このようなプログラムには、スマートフォンまたはタブレット端末などの携帯端末にインストールされるアプリケーションプログラムが含まれる。また、本開示は、このようなプログラムが記録されたコンピュータ読み取り可能な非一時的な記録媒体として実現されてもよい。また、上記プログラムは、インターネット等の伝送媒体を介して流通させることができるのは言うまでもない。例えば、上記プログラム及び上記プログラムからなるデジタル信号は、電気通信回線、無線又は有線通信回線、インターネットを代表とするネットワーク、データ放送等を経由して伝送するものであってもよい。また、上記プログラム及び上記プログラムからなるデジタル信号は、記録媒体に記録して移送されることにより、又はネットワーク等を経由して移送されることにより、独立した他のコンピュータシステムにより実施されてもよい。
【０１２１】
また、上記で用いた序数、数量等の数字は、全て本開示の技術を具体的に説明するために例示するものであり、本開示は例示された数字に制限されない。また、構成要素間の接続関係は、本開示の技術を具体的に説明するために例示するものであり、本開示の機能を実現する接続関係はこれに限定されない。
【０１２２】
その他、実施の形態に対して当業者が思いつく各種変形を施して得られる形態や、本開示の趣旨を逸脱しない範囲で各実施の形態における構成要素および機能を任意に組み合わせることで実現される形態も本開示に含まれる。
【産業上の利用可能性】
【０１２３】
本開示は、例えば、コミュニケーションなどを行う人が集まる空間に配置される机などに適用可能である。
【符号の説明】
【０１２４】
１０    飛沫感染抑制システム
２０    飛沫感染抑制机（机）
２１    本体部
２２    天板
２３    支持脚
２４    検出部（第２検出部）
２５    制御部
２６    気流発生部
２６ａ〜２６ｈ    気流
２７    通信部
３０    椅子
３１    人検出部（第１検出部）
３２    通信部
Ａ１    第１領域
Ａ２    第２領域
ｄ    幅
ｈ、ｈ１〜ｈ３    人
ｐ    ピッチ
ｓ    飛沫
Ｒ    空間
【図１】
2020003867.tif 000003
【図２】
2020003867.tif 000004
【図３】
2020003867.tif 000005
【図４】
2020003867.tif 000006
【図５】
2020003867.tif 000007
【図６】
2020003867.tif 000008
【図７】
2020003867.tif 000009
【図８】
2020003867.tif 000010
【国際調査報告】
2020003867.tif 000011
2020003867.tif 000012
2020003867.tif 000013
2020003867.tif 000014